【手続補正書】
【提出日】平成22年6月2日(2010.6.2)
【手続補正１】
【補正対象書類名】明細書
【補正対象項目名】特許請求の範囲
【補正方法】変更
【補正の内容】
【特許請求の範囲】
【請求項１】
物体側より順に、変倍及び合焦の際に固定の正の屈折力の第１群、変倍機能を有する負の屈折力の第２群、正の屈折力の第３群、変倍により変動する像面を補正すると共に合焦機能を有する正の屈折力の第４群より構成されるズームレンズにおいて、該第１群は、物体側より順に、負レンズと正レンズで構成された接合レンズ、物体側に凸面を向けた２枚のメニスカス状の正レンズからなり、該第２群は、３枚の負レンズと１枚の正レンズよりなることを特徴とするズームレンズ。
【請求項２】
前記第１群の正レンズの材質のアッベ数の平均をν１、第１群の焦点距離をｆ１、第２群の焦点距離をｆ２、広角端での全系の焦点距離をｆｗ、望遠端での全系の焦点距離をｆｔとしたとき
６０＜ν１＜８５
２．０＜ｆ１／（ｆｗ×ｆｔ）1/2＜２．６
０．３＜｜ｆ２｜／（ｆｗ×ｆｔ）1/2＜０．６
の条件式を満足することを特徴とする請求項１記載のズームレンズ。
【請求項３】
前記第３群は、物体側より順に、物体側に凸面を向けた正レンズ、像側に凹面を向けた負レンズ、両レンズ面が凸面の正レンズで構成されることを特徴とする請求項１又は２のズームレンズ。
【請求項４】
前記第３群の最も物体側の正レンズの物体側の面の曲率半径をＲ３１ａ、像側の面の曲率半径をＲ３１ｂ、前記第３群の負レンズの物体側の面の曲率半径をＲ３２ａ、像側の面の曲率半径をＲ３２ｂとしたとき
１．０＜（Ｒ３１ｂ＋Ｒ３１ａ）／（Ｒ３１ｂ−Ｒ３１ａ）＜１２．０
−４．０＜（Ｒ３２ｂ＋Ｒ３２ａ）／（Ｒ３２ｂ−Ｒ３２ａ）＜−１．５
の条件式を満足することを特徴とする請求項３のズームレンズ。
【請求項５】
前記第２群の正レンズの物体側の面の曲率半径をＲ２３ａ、像側の面の曲率半径をＲ２３ｂとしたとき
０．２＜（Ｒ２３ｂ＋Ｒ２３ａ）／（Ｒ２３ｂ−Ｒ２３ａ）＜０．９
の条件式を満足することを特徴とする請求項１、２、３又は４のズームレンズ。
【請求項６】
物体側より順に、変倍及び合焦の際に固定の正の屈折力の第１群、変倍機能を有する負の屈折力の第２群、正の屈折力の第３群、変倍により変動する像面を補正すると共に合焦機能を有する正の屈折力の第４群より構成されるズームレンズにおいて、該第１群は、物体側より順に、負レンズと正レンズで構成された接合レンズ、物体側に凸面を向けた２枚のメニスカス状の正レンズからなり、該第３レンズ群全体を光軸と垂直方向に移動させて該ズームレンズが振動した時の撮影画像のぶれを補正することを特徴とするズームレンズ。
【請求項７】
前記第３群は、物体側より順に、物体側に凸面を向けた正レンズ、像側に凹面を向けた負レンズ、両レンズ面が凸面の正レンズで構成されることを特徴とする請求項６のズームレンズ。
【請求項８】
前記第３群の最も物体側の正レンズの物体側の面の曲率半径をＲ３１ａ、像側の面の曲率半径をＲ３１ｂ、前記第３群の負レンズの物体側の面の曲率半径をＲ３２ａ、像側の面の曲率半径をＲ３２ｂとしたとき
１．０＜（Ｒ３１ｂ＋Ｒ３１ａ）／（Ｒ３１ｂ−Ｒ３１ａ）＜１２．０
−４．０＜（Ｒ３２ｂ＋Ｒ３２ａ）／（Ｒ３２ｂ−Ｒ３２ａ）＜−１．５
の条件式を満足することを特徴とする請求項７のズームレンズ。
【請求項９】
前記第２群は、物体側より順に、物体側に比べ像側に強い凹面を向けたメニスカス状の負レンズ、負レンズ、物体側に凸面を向けた正レンズ、負レンズよりなることを特徴とする請求項６、７、又は８のズームレンズ。
【請求項１０】
前記第２群の正レンズの物体側の面の曲率半径をＲ２３ａ、像側の面の曲率半径をＲ２３ｂとしたとき
０．２＜（Ｒ２３ｂ＋Ｒ２３ａ）／（Ｒ２３ｂ−Ｒ２３ａ）＜０．９
の条件式を満足することを特徴とする請求項９のズームレンズ。
【請求項１１】
物体側より順に、変倍及び合焦の際に固定の正の屈折力の第１群、変倍機能を有する負の屈折力の第２群、正の屈折力の第３群、変倍により変動する像面を補正すると共に合焦機能を有する正の屈折力の第４群より構成されるズームレンズにおいて、該第１群は、物体側より順に、負レンズと正レンズで構成された接合レンズ、物体側に凸面を向けた２枚のメニスカス状の正レンズからなり、該第３レンズ群全体を光軸と垂直方向に移動させてズームレンズが振動した時の撮影画像のぶれを補正しており、前記第１群の正レンズの材質のアッベ数の平均をν１、第１群の焦点距離をｆ１、第２群の焦点距離をｆ２、広角端での全系の焦点距離をｆｗ、望遠端での全系の焦点距離をｆｔとしたとき
６０＜ν１＜８５
２．０＜ｆ１／（ｆｗ×ｆｔ）1/2＜２．６
０．３＜｜ｆ２｜／（ｆｗ×ｆｔ）1/2＜０．６
の条件式を満足することを特徴とするズームレンズ。
【請求項１２】
前記第３群は、物体側より順に、物体側に凸面を向けた正レンズ、像側に凹面を向けた負レンズ、両レンズ面が凸面の正レンズで構成されることを特徴とする請求項１１のズームレンズ。
【請求項１３】
前記第３群の最も物体側の正レンズの物体側の面の曲率半径をＲ３１ａ、像側の面の曲率半径をＲ３１ｂ、前記第３群の負レンズの物体側の面の曲率半径をＲ３２ａ、像側の面の曲率半径をＲ３２ｂとしたとき
１．０＜（Ｒ３１ｂ＋Ｒ３１ａ）／（Ｒ３１ｂ−Ｒ３１ａ）＜１２．０
−４．０＜（Ｒ３２ｂ＋Ｒ３２ａ）／（Ｒ３２ｂ−Ｒ３２ａ）＜−１．５
の条件式を満足することを特徴とする請求項１１又は１２のズームレンズ。
【請求項１４】
前記第２群は、物体側より順に、屈折力の絶対値が物体側に比べ像側の面が大きく、像側に凹面を向けたメニスカス状の負レンズ、負レンズ、物体側に凸面を向けた正レンズ、負レンズよりなることを特徴とする請求項１１、１２又は１３のズームレンズ。
【請求項１５】
前記第２群の正レンズの物体側の面の曲率半径をＲ２３ａ、像側の面の曲率半径をＲ２３ｂとしたとき
０．２＜（Ｒ２３ｂ＋Ｒ２３ａ）／（Ｒ２３ｂ−Ｒ２３ａ）＜０．９
の条件式を満足することを特徴とする請求項１４のズームレンズ。
【請求項１６】
前記第３群の最も物体側のレンズ面は非球面であることを特徴とする請求項１から１５のいずれか１項のズームレンズ。
【請求項１７】
前記第４群は、２枚の正レンズと負レンズで構成されることを特徴とする請求項１から１６のいずれか１項のズームレンズ。
【請求項１８】
前記第４群の少なくとも１枚の正レンズは非球面を有することを特徴とする請求項１７のズームレンズ。
【請求項１９】
前記ズームレンズは、開口絞りを有し、変倍時に該開口絞りの最大開放径を全系の焦点距離に応じて可変とすることを特徴とする請求項１から１８のいずれか１項のズームレンズ。
【請求項２０】
前記第３群の物体側又は像面側に固定の絞りを設けたことを特徴とする請求項１から１９のいずれか１項のズームレンズ。
【請求項２１】請求項１から２０のいずれか１項のズームレンズを有していることを特徴とする光学機器。
【手続補正２】
【補正対象書類名】明細書
【補正対象項目名】００１７
【補正方法】変更
【補正の内容】
【００１７】
【課題を解決するための手段】
請求項１の発明のズームレンズは、物体側より順に、変倍及び合焦の際に固定の正の屈折力の第１群、変倍機能を有する負の屈折力の第２群、正の屈折力の第３群、変倍により変動する像面を補正すると共に合焦機能を有する正の屈折力の第４群より構成されるズームレンズにおいて、該第１群は、物体側より順に、負レンズと正レンズで構成された接合レンズ、物体側に凸面を向けた２枚のメニスカス状の正レンズからなり、該第２群は、３枚の負レンズと１枚の正レンズよりなることを特徴としている。
【手続補正３】
【補正対象書類名】明細書
【補正対象項目名】００２２
【補正方法】変更
【補正の内容】
【００２２】
請求項６の発明のズームレンズは、物体側より順に、変倍及び合焦の際に固定の正の屈折力の第１群、変倍機能を有する負の屈折力の第２群、正の屈折力の第３群、変倍により変動する像面を補正すると共に合焦機能を有する正の屈折力の第４群より構成されるズームレンズにおいて、該第１群は、物体側より順に、負レンズと正レンズで構成された接合レンズ、物体側に凸面を向けた２枚のメニスカス状の正レンズからなり、該第３レンズ群全体を光軸と垂直方向に移動させて該ズームレンズが振動した時の撮影画像のぶれを補正することを特徴としている。
【手続補正４】
【補正対象書類名】明細書
【補正対象項目名】００２５
【補正方法】変更
【補正の内容】
【００２５】
請求項９の発明は請求項６、７、又は８の発明において、前記第２群は、物体側より順に、物体側に比べ像側に強い凹面を向けたメニスカス状の負レンズ、負レンズ、物体側に凸面を向けた正レンズ、負レンズよりなることを特徴としている。
【手続補正５】
【補正対象書類名】明細書
【補正対象項目名】００２７
【補正方法】変更
【補正の内容】
【００２７】
請求項１１の発明のズームレンズは、物体側より順に、変倍及び合焦の際に固定の正の屈折力の第１群、変倍機能を有する負の屈折力の第２群、正の屈折力の第３群、変倍により変動する像面を補正すると共に合焦機能を有する正の屈折力の第４群より構成されるズームレンズにおいて、該第１群は、物体側より順に、負レンズと正レンズで構成された接合レンズ、物体側に凸面を向けた２枚のメニスカス状の正レンズからなり、該第３レンズ群全体を光軸と垂直方向に移動させてズームレンズが振動した時の撮影画像のぶれを補正しており、前記第１群の正レンズの材質のアッベ数の平均をν１、第１群の焦点距離をｆ１、第２群の焦点距離をｆ２、広角端での全系の焦点距離をｆｗ、望遠端での全系の焦点距離をｆｔとしたとき
６０＜ν１＜８５
２．０＜ｆ１／（ｆｗ×ｆｔ）1/2＜２．６
０．３＜｜ｆ２｜／（ｆｗ×ｆｔ）1/2＜０．６
の条件式を満足することを特徴としている。
【手続補正６】
【補正対象書類名】明細書
【補正対象項目名】００３０
【補正方法】変更
【補正の内容】
【００３０】
請求項１４の発明は請求項１１、１２又は１３の発明において、前記第２群は、物体側より順に、屈折力の絶対値が物体側に比べ像側の面が大きく、像側に凹面を向けたメニスカス状の負レンズ、負レンズ、物体側に凸面を向けた正レンズ、負レンズよりなることを特徴としている。
【手続補正７】
【補正対象書類名】明細書
【補正対象項目名】００５４
【補正方法】変更
【補正の内容】
【００５４】
本発明のズームレンズは物体側より順に、変倍及び合焦の際に固定の正の屈折力の第１群、変倍機能を有する負の屈折力の第２群、正の屈折力の第３群、変倍により変動する像面を補正すると共に合焦機能を有する正の屈折力の第４群より構成されるズームレンズにおいて、該第１群は、物体側より順に、負レンズと正レンズで構成された接合レンズ、物体側に凸面を向けた２枚のメニスカス状の正レンズからなることを基本構成としている。
【手続補正８】
【補正対象書類名】明細書
【補正対象項目名】００５５
【補正方法】変更
【補正の内容】
【００５５】
そして第１発明は、基本構成の基で第２群が３枚の負レンズと１枚の正レンズよりなることを特徴としている。
【手続補正９】
【補正対象書類名】明細書
【補正対象項目名】００６９
【補正方法】変更
【補正の内容】
【００６９】
（ア）第１発明
(ア−１）第１発明は物体側より順に、変倍及び合焦の際に固定の正の屈折力の第１群、変倍機能を有する負の屈折力の第２群、正の屈折力の第３群、変倍により変動する像面を補正すると共に合焦機能を有する正の屈折力の第４群より構成されるズームレンズにおいて、該第１群は、物体側より順に、負レンズと正レンズで構成された接合レンズ、物体側に凸面を向けた２枚のメニスカス状の正レンズからなり、該第２群は３枚の負レンズと１枚の正レンズより成ることを特徴としている。
【手続補正１０】
【補正対象書類名】明細書
【補正対象項目名】００７６
【補正方法】変更
【補正の内容】
【００７６】
（イ）第２発明
（イ−１)第２発明は物体側より順に、変倍及び合焦の際に固定の正の屈折力の第１群、変倍機能を有する負の屈折力の第２群、正の屈折力の第３群、変倍により変動する像面を補正すると共に合焦機能を有する正の屈折力の第４群より構成されるズームレンズにおいて、該第１群は、物体側より順に、負レンズと正レンズで構成された接合レンズ、物体側に凸面を向けた２枚のメニスカス状の正レンズからなり、該第３レンズ群全体を光軸と垂直方向に移動させて該ズームレンズが振動した時の撮影画像のぶれを補正することを特徴としている。
【手続補正１１】
【補正対象書類名】明細書
【補正対象項目名】００８５
【補正方法】変更
【補正の内容】
【００８５】
（イ−４）前記第２群は、物体側より順に、物体側に比べ像側に強い凹面を向けたメニスカス状の負レンズ、負レンズ、物体側に凸面を向けた正レンズ、負レンズよりなることである。
【手続補正１２】
【補正対象書類名】明細書
【補正対象項目名】００８８
【補正方法】変更
【補正の内容】
【００８８】
（ウ）第３発明
（ウ−１)第３発明は物体側より順に、変倍及び合焦の際に固定の正の屈折力の第１群、変倍機能を有する負の屈折力の第２群、正の屈折力の第３群、変倍により変動する像面を補正すると共に合焦機能を有する正の屈折力の第４群より構成されるズームレンズにおいて、該第１群は、物体側より順に、負レンズと正レンズで構成された接合レンズ、物体側に凸面を向けた２枚のメニスカス状の正レンズからなり、該第３レンズ群全体を光軸と垂直方向に移動させてズームレンズが振動した時の撮影画像のぶれを補正しており、前記第１群の正レンズの材質のアッベ数の平均をν１、第１群の焦点距離をｆ１、第２群の焦点距離をｆ２、広角端での全系の焦点距離をｆｗ、望遠端での全系の焦点距離をｆｔとしたとき ６０＜ν１＜８５ ・・・（１）
２．０＜ｆ１／（ｆｗ×ｆｔ）1/2＜２．６ ・・・（２）
０．３＜｜ｆ２｜／（ｆｗ×ｆｔ）1/2＜０．６ ・・・（３）
の条件式を満足することである。
【手続補正１３】
【補正対象書類名】明細書
【補正対象項目名】００９３
【補正方法】変更
【補正の内容】
【００９３】
（ウ−４)前記第２群は、物体側より順に、屈折力の絶対値が物体側に比べ像側の面が大きく、像側に凹面を向けたメニスカス状の負レンズ、負レンズ、物体側に凸面を向けた正レンズ、負レンズよりなることである。